(57)【要約】【課題】支柱を含めてデザイン性を高めた目隠しパネルの配列構造を提供し、さらには背面側からのデザイン性も優れた配列構造を提供する。【解決手段】目隠しパネル配列構造は、建築物の外壁面６側に縦方向に並列に配した支柱２と、背面側の左右両端部側に、支柱２の先端部２２を囲いながら支柱２に取り付けできる取付部１３を備えた目隠しパネル１と、を用い、両取付部１３は略同一形状に形成し、一の目隠しパネル１の各取付部１３を隣接する支柱２にそれぞれ取り付け、他の目隠しパネル１を前記一の目隠しパネル１を取り付けた支柱２のうちの１本を含むように左右にずらして取り付け、上下に位置する取付部１３が上面視において重なり合うように配することを特徴とする。【選択図】図６
2017036630.tif 000002
【特許請求の範囲】
【請求項１】
建築物の外壁面側に縦方向に並列に配した支柱と、背面側の左右両端部側に、支柱の先端部を囲いながら支柱に取り付けできる取付部を備えた目隠しパネルと、を用いる目隠しパネルの配列構造であって、
両取付部は、略同一形状に形成し、
一の目隠しパネルの各取付部を隣接する支柱にそれぞれ取り付け、他の目隠しパネルを前記一の目隠しパネルを取り付けた支柱のうちの１本を含むように左右にずらして取り付け、上下に位置する取付部が上面視において重なり合うように配する、目隠しパネルの配列構造。
【請求項２】
各取付部は、略左右対称形状とした請求項１に記載の目隠しパネルの配列構造。
【請求項３】
各取付部は、背面側に開口部を有し、上面視において断面Ｃ字状に形成した請求項１又は２に記載の目隠しパネルの配列構造。
【請求項４】
目隠しパネルは、略左右対称形状とした１〜３のいずれかに記載の目隠しパネルの配列構造。
【請求項５】
複数の目隠しパネルを正面視において市松模様状に支柱に配した請求項１〜４のいずれかに記載の目隠しパネルの配列構造。
【発明の詳細な説明】
【技術分野】
【０００１】
本発明は、建築物の外壁面側に配置し、建屋内部の目隠しなどをすることができる目隠しパネルの配列構造に関する。
【背景技術】
【０００２】
マンション、ビルなどの建築物の外壁面には目隠しパネルやルーバーが配置されていることがあり、陽射しを遮り、外部から内部を視認しにくくするだけでなく、建築物の外観を美しく見せたりすることなどができる。
【０００３】
例えば、下記特許文献１には、多段ルーバーを構成するルーバー羽体であって、２以上の羽体構成部材をスライド嵌合により接合して羽体本体を構成することができるルーバー羽体が示され、ルーバー羽体の大きさ及び形状を自在に変化させることができるようにしてある。
【０００４】
また、下記特許文献２には、四隅に締結孔を形成し、この締結孔に、膨頭部が裏側に位置するように締結部材を挿し通してある矩形板状の目隠しパネルと、表側にリップ溝を形成してある取付ブラケットとを備え、前記取付ブラケットを、リップ溝を横向きにして適宜箇所に配し、前記膨頭部をリップ溝内に挿入して固定できる目隠しパネルの固定構造が示され、目隠しパネルを容易に取り付けできるようにしてある。
【先行技術文献】
【特許文献】
【０００５】
【特許文献１】特開２００２−２８５６８６号公報
【特許文献２】特開２００８−２８０７１７号公報
【発明の概要】
【発明が解決しようとする課題】
【０００６】
上記特許文献１に示されたルーバーは、ルーバー羽体の形状を変化させて様々な外観にすることができるが、建築物の外壁面側に配した支柱などに固定するものであり、外観として支柱が視認されてしまうものである。
また、特許文献２に示された目隠しパネルは、細幅の支柱に固定するものであるが、これも外観として支柱が視認されてしまうものである。
このように、従来では、支柱までも含めて建築物の外観を美しく見せることまでは考慮されてなかった。
さらには、ルーバーや目隠しパネルは、従来では背面側からは視認されることが少なく、背面側からの美感などは考慮されていなかった。
しかし、近年では、採光のために建築物の外壁面をガラス張りにすることもあり、背面側からも目隠しパネルが視認される機会も増加している。
【０００７】
そこで、本発明の目的は、支柱を含めてデザイン性を高めた目隠しパネルの配列構造を提供し、さらには背面側からのデザイン性も優れた目隠しパネルの配列構造を提供することにある。
【課題を解決するための手段】
【０００８】
本発明の一実施形態の目隠しパネルの配列構造は、建築物の外壁面側に縦方向に並列に配した支柱と、背面側の左右両端部側に支柱の先端部を囲いながら支柱に取り付けできる取付部を備えた目隠しパネルと、を用いる目隠しパネルの配列構造であって、両取付部は略同一形状に形成し、一の目隠しパネルの各取付部を隣接する支柱にそれぞれ取り付け、他の目隠しパネルを前記一の目隠しパネルを取り付けた支柱のうちの１本を含むように左右にずらして取り付け、上下に位置する取付部が上面視において重なり合うように配することを特徴とする。
【０００９】
上記形態の目隠しパネルの配列構造は、目隠しパネルの取付部を支柱の先端部側を囲いながら支柱に取り付けできるようにしたため、支柱の先端部側を覆い隠して支柱を見えにくくすることができ、デザイン性を向上させることができる。また、両取付部を略同一形状に形成し、上下の取付部が上面視において重なり合うように配したため、上下の取付部が連続する縦列状に配されることになり、背面側からのデザイン性も向上させることができる。
【００１０】
上記形態の目隠しパネルの配列構造は、各取付部を略左右対称形状にすることができ、具体的には、各取付部を背面側に開口部を有し、上面視において断面Ｃ字状に形成することができる。このようにすることにより、背面側を左右対称状にデザインすることができ、外観が優れたものになる。
【００１１】
上記形態の目隠しパネルの配列構造は、目隠しパネルを左右対称形状にすることができる。このようにすることにより、正面側、背面側のどちらから視認しても、左右対称状のバランスの取れた外観にすることができる。
【００１２】
上記形態の目隠しパネルの配列構造は、複数の目隠しパネルを正面視において市松模様状に支柱に配することができる。
【図面の簡単な説明】
【００１３】
【図１】本発明の一実施形態の目隠しパネルの固定構造において、目隠しパネルの一例を示し、（Ａ）は正面側斜視図、（Ｂ）は背面側斜視図、（Ｃ）は平面図である。
【図２】図１の形態において、（Ａ）は支持部材を建築物の外壁面側に配した状態の一例を示し、（Ｂ）は挿通孔付近を拡大した図である。
【図３】図１の形態において、固定具の一例を示した斜視図である。
【図４】図１の形態において、目隠しパネルの固定方法を説明するための図である。
【図５】図１の形態において、複数の目隠しパネルを配列した状態を示した図である。
【図６】図５の正面側からの部分拡大斜視図である。
【図７】図５の背面側からの部分拡大斜視図である。
【発明を実施するための形態】
【００１４】
以下、本発明の一実施形態の目隠しパネルの配列構造を説明する。但し、本発明は、この実施形態に限定されるものではない。
【００１５】
本発明の一実施形態の目隠しパネルの配列構造は、図１〜図７に示すように、目隠しパネル１と、支柱２とを用いることができる。これらは左右、前後の位置合わせがしやすいように設計されているため、これらを用いることが好ましい。
【００１６】
目隠しパネル１は、建築物の外壁面６を被覆するものであり、本実施形態では、図１に示すように、正面視において正方形乃至長方形状であり、左右幅の中心線付近が正面側に膨出した湾曲板状に形成してあり、左右対称形状に形成してある。目隠しパネル１の大きさは、特に限定するものではないが、幅１０ｃｍ〜４０ｃｍ程、高さ１０ｃｍ〜１００ｃｍ程に形成し、一人でも取り扱えることができる程度の大きさが好ましい。
【００１７】
目隠しパネル１は、パネル板１１と、取付片部１２ａと隠蔽片部１２ｂとを有する取付部１３とを備える。
パネル板１１は、建築物の外壁面６を被覆して建屋内部を隠蔽などするためのものであり、表面側に模様を施すなど造形処理をしてもよい。
【００１８】
取付部１３は、支柱２の先端部２２を囲いながら取り付けできるようにパネル板１１の左右両端部側に高さ方向に沿い設けてある。本実施形態では、パネル内側の取付片部１２ａとパネル外側の隠蔽片部１２ｂと縦方向に開口した開口部１２ｃとを備える。取付部１３は、上面視において断面Ｃ字状の略左右対称形状に形成してあり、開口部１２ｃから支柱２の先端部２２を挿入して支柱２に取り付けできる。また、両側の取付部１３は、略同一形状にしてある。
【００１９】
取付片部１２ａは、目隠しパネル１を支柱２に取り付けるためのものであり、本実施形態では、パネル板１１の背面側に高さ方向沿いに設けてあり、パネル板１１の左右各端部付近から上面視においてパネル中心線側に膨出する湾曲板状に形成してある。本実施形態では、取付片部１２ａを湾曲板状に形成してあるが、これに限定するものではなく、例えば、平板状に形成してもよい。
一方の取付片部１２ａには、高さ方向中間付近に横方向にパネル外側に向く円柱状の取付軸部１５が設けてあり、他方の取付片部１２ａには、高さ方向中間付近に円形状の取付孔１６が設けてある。本実施形態では、取付軸部１５はボルトナットから形成してあり、取付軸部１５の軸線は、取付孔１６の中心を通るように同一高さに形成してある。取付軸部１５の長さは、後述するように目隠しパネル１を支柱２に固定する場合、挿通孔２１から脱落しない適宜長さにすることができる。
【００２０】
隠蔽片部１２ｂは、目隠しパネル１と支柱２との取付部分を隠すために設けてあり、本実施形態では、パネル板１１の背面側に高さ方向沿いに設け、パネル板１１の左右両端部付近から上面視においてパネル外側に膨出する湾曲板状に形成してある。パネル板１１と隠蔽片部１２ｂとは、滑らかに連ならせて一体的に形成してある。隠蔽片部１２ｂと取付軸部１５の先端部との隙間（図１（Ｃ）の寸法Ｘ）は、支柱２が挿入できる幅とする。また、開口部１２ｃの幅は、後述するように目隠しパネル１を支柱２に固定する場合、目隠しパネル１が移動できる適宜幅にすることができる。
【００２１】
目隠しパネル１は、支柱２との前後方向の位置合わせをしやすくするために当接部１４を設けることができる。本実施形態では、パネル板１１の背面側に高さ方向沿いに設け、パネル板１１の左右各端部付近から背面側に突出する上面視断面Ｔ字状に形成してあり、両当接部１４は同じ突出幅としてある。
当接部１４は、取付片部１２ａ及び隠蔽片部１２ｂの基端付近に設け、それらの間に納まるように形成し、支柱２の先端部２２が当接するように形成してある。本実施形態では、先端部２２を平面状に形成してあるが、これに限定されるものではなく、例えば、先端部２２にＲを設けた曲面状にしてもよい。
【００２２】
支柱２は、目隠しパネル１を固定するためのものであり、本実施形態では、図２に示すように、縦方向に伸びる長尺板材であり、先端部側を幅狭とし、後端部側を幅広とした段状に形成してある。各支柱２の先端部２２側には高さ方向に適宜間隔で円形状の挿通孔２１が設けてある。
支柱２は、外壁面６の表面側に横方向に所定間隔で配し、縦方向に並列するように配してある。支柱２の後端部側を、建築物の外壁面６などにＬ型金具７などを用いて固定し、各支柱２の挿通孔２１が横一列に連続するように配してある。本実施形態では、支柱２を外壁面６に直接固定してあるが、外壁面６と適宜間隔を設けて支柱などを配し、それに固定してもよい。
支柱２の先端部２２は、平面状に形成し、目隠しパネル１の当接部１４が当接するように形成してある。本実施形態では、先端部２２を平面状に形成してあるが、これに限定されるものではなく、例えば、先端部２２にＲを設けた曲面状にしてもよい。
【００２３】
目隠しパネル１の左右方向の位置決めをしやすくするために筒状部材３を用いることが好ましい。本実施形態では、筒状部材３を所定長さの円筒状に形成してあり、目隠しパネル１を支柱２に固定する際、上面視において支柱２を取付部１３の中心線上に位置させる長さとしてある。筒状部材３は、挿通孔２１と連続するように設け、支持部材２と一体又は別体として設けることが好ましい。別体とする場合は、支柱２に固着できるように形成し、例えば、嵌合固定や磁着できるようにすることなどが好ましい。筒状部材３の一端部側を小径の円柱状に形成し、挿通孔２１に嵌合できるようにしてある。また、例えば、筒状部材３の一端部側を四角柱状に形成し、図２（Ｂ）に示すように、挿通孔２１周囲を四角状に窪ませて嵌合できるようにしてもよい。
【００２４】
固定具４は、目隠しパネル１を支柱２に固定するためのものであり、本実施形態では、図３に示すように、ボルト４ａ及びナット４ｂを用いて締結固定できるようにしてある。
固定具４は、他方の取付片部１２ａの取付孔１６と、筒状部材３と、支柱２の挿通孔２１とに挿通できるようにしてあり、これらに挿通した後に締結固定できる。締結固定後に、ボルト４ａの先端部に設けた孔部４１に抜け防止ピン５を装着しておけば、ナット４ｂの抜けを防止できるため好ましい。
【００２５】
以下、目隠しパネル１を支柱２に配列する方法の一例を示す。
まず、図４（Ａ）に示すように、複数の支柱２を外壁面６に横方向に適宜間隔で配し、縦向きに並行に固定し、挿通孔２１が横方向に並ぶようにする。次に、目隠しパネル１を、図４（Ｂ）に示すように、支柱２の正面側から隣接する２つの支柱２間に両取付片部１２ａが位置するように配する。目隠しパネル１の取付軸部１５を一方の支柱２の挿通孔２１に挿通し、目隠しパネル１を移動させて図４（Ｃ）に示すように、取付軸部１５を基端まで挿通孔２１に挿し込む。その状態のまま、図４（Ｄ）に示すように、筒状部材３を他方の支柱２の挿通孔２１に固着する。
【００２６】
目隠しパネル１を、図４（Ｅ）に示すように、他方の取付片部１２ａが筒状部材３に接するまで反対方向に移動させる。固定具４のボルト４ａを取付孔１６、筒状部材３及び他方の支柱２の挿通孔２１に挿通し、目隠しパネル１の側面側からナット４ｂをボルト４ａに締結して目隠しパネル１を支柱２に固定できる。
【００２７】
他の目隠しパネル１を、固定した目隠しパネル１に対して四隅側の斜めの位置、つまり、固定した目隠しパネル１を取り付けた支柱２のうちの一つを含むように左右にずらした上下位置に、上記と同様に取り付けて固定する。このように、複数の目隠しパネル１を順次取り付けることにより、図５に示すように、市松模様状に配することができる。
【００２８】
このような目隠しパネル１の配列は、支柱２の先端部２２側が取付部１３により囲われているため、図５、６に示すように、正面側から視認した場合は、支柱２が見えにくく、デザイン的に優れている。
また、両取付部１３を略同一形状に形成し、上下の取付部１３が上面視において重なり合うように配したため、図７に示すように、上下の取付部１３が連続する縦列状に配されることになり、背面側からのデザイン性も向上させることができる。正面側から視認した場合も、図６に示すように、目隠しパネル１間の空隙から見える隠蔽片部１２ｂと取付片部１２ａが連続して見えるため、デザイン的に優れたものになる。
【００２９】
各取付部１３を左右対称形状にし、支柱２を取付部１３の中心線上に配することにより、図７に示すように、背面側を略左右対称状にすることができ、背面側からのデザイン性を向上させることができる。さらに、目隠しパネル１全体を左右対称形状とすれば、正面側、背面側のどちらから視認しても、左右対称状のバランスの取れた外観にすることができる。
【００３０】
上記実施形態の構成態様は、本発明を限定するものとして挙げたものではなく、技術目的を共通にするかぎり変更は可能であり、本発明はそのような変更を含むものである。
【符号の説明】
【００３１】
１  目隠しパネル
１１  パネル板
１２ａ  取付片部
１２ｂ  隠蔽片部
１２ｃ  開口部
１３  取付部
１４  当接部
１５  取付軸部
１６  取付孔
２  支持部材
２１  挿通孔
２２  先端部
３  筒状部材
４  固定具
４ａ  ボルト
４ｂ  ナット
４１  孔部
５  抜け防止ピン
６  外壁面
７  Ｌ型金具
【図１】
2017036630.tif 000003
【図２】
2017036630.tif 000004
【図３】
2017036630.tif 000005
【図４】
2017036630.tif 000006
【図５】
2017036630.tif 000007
【図６】
2017036630.tif 000008
【図７】
2017036630.tif 000009
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
建築物の外壁面側に縦方向に並列に配した支柱と、背面側の左右両端部側に、支柱の先端部をパネル内側の取付片部とパネル外側の隠蔽片部とで囲いながら支柱に取り付けできる取付部を備えた目隠しパネルと、を用いる目隠しパネルの配列構造であって、
各取付部は、背面側に開口部を有し、上面視において断面Ｃ字状に形成し、かつ、略同一形状に形成し、
一の目隠しパネルの各取付部を隣接する支柱に、取付片部の先端部及び隠蔽片部の先端部と支柱との間に適宜幅の隙間を有するように、それぞれ取り付け、
他の目隠しパネルを前記一の目隠しパネルを取り付けた支柱のうちの１本を含むように左右にずらして取り付け、上下に位置する取付部が上面視において重なり合うように配する、目隠しパネルの配列構造。
【請求項２】
各取付部は、略左右対称形状とした請求項１に記載の目隠しパネルの配列構造。
【請求項３】
目隠しパネルは、略左右対称形状とした請求項１又は２に記載の目隠しパネルの配列構造。
【請求項４】
複数の目隠しパネルを正面視において市松模様状に支柱に配した請求項１〜３のいずれかに記載の目隠しパネルの配列構造。
【手続補正２】
【補正対象書類名】明細書
【補正対象項目名】０００８
【補正方法】変更
【補正の内容】
【０００８】
本発明の一実施形態の目隠しパネルの配列構造は、建築物の外壁面側に縦方向に並列に配した支柱と、背面側の左右両端部側に、支柱の先端部をパネル内側の取付片部とパネル外側の隠蔽片部とで囲いながら支柱に取り付けできる取付部を備えた目隠しパネルと、を用いる目隠しパネルの配列構造であって、各取付部は、背面側に開口部を有し、上面視において断面Ｃ字状に形成し、かつ、略同一形状に形成し、一の目隠しパネルの各取付部を隣接する支柱に、取付片部の先端部及び隠蔽片部の先端部と支柱との間に適宜幅の隙間を有するように、それぞれ取り付け、他の目隠しパネルを前記一の目隠しパネルを取り付けた支柱のうちの１本を含むように左右にずらして取り付け、上下に位置する取付部が上面視において重なり合うように配する、ことを特徴とする。
【手続補正３】
【補正対象書類名】明細書
【補正対象項目名】００１０
【補正方法】変更
【補正の内容】
【００１０】
上記形態の目隠しパネルの配列構造は、各取付部を略左右対称形状にすることができる。このようにすることにより、背面側を左右対称状にデザインすることができる。